(57)【要約】【課題】継目が形成されたブラインド用化粧材の意匠性を悪化させないようにすることができる化粧カバーを提供する。【解決手段】化粧カバー１０は、複数の構成部材２２，２４同士の間に継目２０ａ、２０ｂが形成されたバランス２０に取付可能となっており、継目２０ａ、２０ｂに跨って取り付けられて継目２０ａ、２０ｂを覆い隠すことが可能なものである。【選択図】図２
0003117832.tif 000002
【実用新案登録請求の範囲】
【請求項１】
複数の構成部材（２２，２４）が連結されてなり互いに連結される該構成部材（２２，２４）同士の間に継目（２０ａ、２０ｂ）が形成されたバランス等のブラインド用化粧材（２０）に取付可能となった化粧カバー（１０）であって、
該化粧カバー（１０）は、前記継目（２０ａ、２０ｂ）に跨って取り付けられて継目（２０ａ、２０ｂ）を覆い隠すことが可能なものであることを特徴とするブラインド用化粧材のための化粧カバー。
【請求項２】
上下に係止部（１０ｃ、１０ｄ）が形成され、それぞれの係止部（１０ｃ、１０ｄ）がブラインド用化粧材（２０）の上下部に係止されることによって、ブラインド用化粧材（２０）の表面の所定位置に配置可能としたことを特徴とする請求項１記載の化粧カバー。
【請求項３】
表面にフック（１０ｅ）が形成されることを特徴とする請求項１または２記載の化粧カバー。
【請求項４】
請求項１ないし３のいずれか１項に記載の化粧カバーが取り付けられたブラインド用化粧材。
【請求項５】
前記構成部材（２２，２４）は木製であり、継目（２０ａ、２０ｂ）を境にして連結される構成部材（２２，２４）の間で木目が非連続となるものであることを特徴とする請求項４記載の化粧カバーが取り付けられるブラインド用化粧材。
【請求項６】
前記構成部材（２２，２４）同士は、互いにジョイント部材（２６）によって連結され、継目（２０ａ、２０ｂ）において構成部材（２２，２４）の間に隙間を形成することによって前記ブラインド用化粧材の連結方向の長さ寸法を微調整可能であることを特徴とする請求項４または５記載の化粧カバーが取り付けられるブラインド用化粧材。
【考案の詳細な説明】
【技術分野】
【０００１】
本考案は、バランス等のブラインド用化粧材に用いられる化粧カバー及びブラインド用化粧材に関する。
【背景技術】
【０００２】
従来のブラインド用化粧材としては、特許文献１に記載されたものが知られている。これによれば、ブラインドのヘッドボックスの前面または前面及び側面を覆い隠すためのブラインド用化粧材としてのバランスを、ブラケットを利用して取り付けることが記載されている。
【０００３】
【特許文献１】特開２００３−１８４４５５号公報
【考案の開示】
【考案が解決しようとする課題】
【０００４】
このバランス等のブラインド用化粧材は一部品で形成されることもあるが、ブラインド幅の大きいサイズでは、複数の構成部品である正面板材同士または正面板材と側面板材が連結されることによって、構成される。
【０００５】
この場合に連結される構成部品の継目が外部に露出されると目立つために、意匠性が悪化するという問題がある。
【０００６】
特に木製ブラインドの場合には、スラットの材質や色に合わせて正面板材または側面板材が木製で形成されていることが多いが、木製の板材の表面に表れる木目が継目を境として非連続になってアンバランスになることがあり、意匠性が悪化するという問題がある。
【０００７】
この考案は上記のような課題を解決するためになされたもので、その目的は、継目が形成されたブラインド用化粧材の意匠性を悪化させないようにすることができるブラインド用化粧材のための化粧カバー及びブラインド用化粧材を提供することである。
【課題を解決するための手段】
【０００８】
前述した目的を達成するために、請求項１記載の考案は、複数の構成部材が連結されてなり互いに連結される該構成部材同士の間に継目が形成されたバランス等のブラインド用化粧材に取付可能となった化粧カバーであって、
該化粧カバーは、前記継目に跨って取り付けられて継目を覆い隠すことが可能なものであることを特徴とする。
【０００９】
請求項２記載の考案は、請求項１記載の前記化粧カバーの上下に係止部が形成され、それぞれの係止部がブラインド用化粧材の上下部に係止されることによって、ブラインド用化粧材の表面の所定位置に配置可能としたことを特徴とする。
【００１０】
請求項３記載の考案は、請求項１または２記載の化粧カバーの表面に、フックが形成されることを特徴とする。
【００１１】
請求項４記載の考案は、請求項１ないし３のいずれかに記載の化粧カバーが取り付けられるブラインド用化粧材を特徴とする。
【００１２】
請求項５記載の考案は、請求項４記載の前記ブラインド用化粧材の構成部材が木製であり、継目を境にして連結される構成部材の間で木目が非連続となるものであることを特徴とする。
【００１３】
請求項６記載の考案は、請求項５記載の前記ブラインド用化粧材の前記構成部材同士が互いにジョイント部材によって連結され、継目において構成部材の間に隙間を形成することによって前記ブラインド用化粧材の連結方向の長さ寸法を微調整可能であることを特徴とする。
【考案の効果】
【００１４】
本考案によれば、複数の構成部材によってブラインド用化粧材が形成されていても、その継目が化粧カバーによって覆い隠されるために、その意匠性を良好に保つことができる。
【００１５】
請求項２記載の考案によれば、化粧カバーを簡単にブラインド用化粧材に取り付けることができると共に、任意の位置に配置することができるために、意匠性を向上させることができる。
【００１６】
請求項３記載の考案によれば、化粧カバー自体の意匠性を向上させることができると共に、フックに装飾材を取り付けることで、全体の意匠性を向上させることができる。
【００１７】
請求項４記載の考案によれば、化粧カバーによって意匠性の向上されたブラインド用化粧材とすることができる。
【００１８】
請求項５記載の考案によれば、構成部材が木製の場合に、継目を境にして木目が非連続となっても、化粧カバーによって非連続性をぼかすことができるようになり、意匠性を向上させることができる。
【００１９】
請求項６記載の考案によれば、化粧カバーを取り付けるために、継目において構成部材同士を隙間なく連結する必要はなく、よって、その隙間の大きさを調整することによって、ブラインド用化粧材の連結方向の長さ寸法を微調整することができるようになる。
【考案を実施するための最良の形態】
【００２０】
以下、図面を用いて本考案の実施の形態を説明する。
図１は、本考案に関わる化粧カバーがブラインド用化粧材に取り付けられた状態を表すブラインド全体の斜視図であり、図２はブラインド用化粧材の斜視図である。
【００２１】
図において、１０は化粧カバーであり、２０はブラインド用化粧材としてのバランス２０であり、３０はブラインドである。バランス２０は、ブラインド３０のヘッドボックス３２を覆い隠すために該ヘッドボックス３２にブラケットによって取り付けられるものであり、化粧カバー１０はさらにバランス２０に取り付けられるものである。
【００２２】
バランス２０は、その幅寸法を所望の寸法にするために３つの構成部材から構成されており、この例ではバランスの正面側に位置づけられる正面部材２２と、バランスの各側面側にそれぞれ位置づけられる一対の側面部材２４と、から構成されている。但し、組み合わせる構成部材の数または構成部材の形状としては、これに限るものではなく、任意の組み合わせが可能である。例えば、正面側と側面側の両方に位置づけられる構成部材同士、または該構成部材と、該正面側のみに位置づけられる正面部材との組み合わせ等の組み合わせも可能である。
【００２３】
この正面部材２２及び側面部材２４は木製であり、それぞれはジョイント部材によって連結され、その連結部分が継目となる。ジョイント部材は、図５に示すように、両部材の接合面に形成された穴に圧入されるピン２６によって構成され、一方の部材にピン２６を差し込んだ状態で、他方の部材にピン２６を押し入れる。これによって継目２０ａ、２０ｂが形成される。
【００２４】
この継目２０ａ、２０ｂに対して、継目２０ａ、２０ｂを跨り継目２０ａ、２０ｂを覆い隠すようにして化粧カバー１０がバランス２０に取り付けられる。
【００２５】
化粧カバー１０は、継目２０ａ、２０ｂの付近の形状に合致するようにそれぞれ用意される。即ち、図３は平面用、図４はコーナー用の化粧カバー１０を示している。化粧カバー１０の表面１０ａ及び裏面１０ｂは、継目２０ａ、２０ｂの付近の形状に合致した形状をなしており、且つ、化粧カバー１０の上下には、バランス２０の上部及び下部にそれぞれ係止可能となった上部係止部１０ｃ及び下部係止部１０ｄが形成されている。また、化粧カバー１０は、金属製またはプラスチック製にメッキを施したもの、等から構成することができ、適度な弾性を有する。その表面１０ａに適宜デザインを施すことも可能である。
【００２６】
以上のように構成されるものにおいて、化粧カバー１０を使用する場合には、まず、図５に示すように、構成部材の連結をピン２６を用いて行う。
【００２７】
この場合に、図６に示すように、構成部材の状態に応じて、木製の色目が異なっていたり（図６（ａ））、または、木目が継目２０ａで不連続になったり（図６（ｂ））することがある。このような場合に、化粧カバー１０を図７に示すように、例えば、下部係止部１０ｄをバランス２０の下部に引っ掛けて、化粧カバー１０の弾性を利用して上部係止部１０ｃをバランス２０の上部に係止させて、継目２０ａを覆い隠すようにして化粧カバー１０を取り付けると、化粧カバー１０を簡単にバランス２０に取り付けることができるようになる。尚、このときに、化粧カバー１０の裏面１０ｂに両面粘着テープを貼付して、該両面粘着テープをバランス２０の表面に粘着させて、化粧カバー１０のバランス２０への固定確保することも可能である。
【００２８】
化粧カバー１０が取り付けられると、図６（ｃ）に示すように、色目の違いや木目の不連続が目立たなくなり、また、化粧カバー１０がデザイン上のアクセントになるために、却ってバランス２０自体の意匠性が向上することになる。
【００２９】
以上のような連結する構成部材の色、模様（木目を含む）の不連続性の他に、図８に示すように、継目２０ａに段差のような寸法不連続性が生じる場合も、同様に、化粧カバー１０によって継目２０ａを覆い隠すことによって、段差を全く見えないようにすることができる。
【００３０】
また、任意には、図９に示すように、化粧カバー１０を設けることによって、バランス２０の全長の微調整を行うことができるようになる。つまり、化粧カバー１０によって継目２０ａを覆い隠すために、継目２０ａにおいて構成部材は隙間のないように連結する必要がなくなり、そのために、ピン２６の押し込み量を調整することで隙間の大きさを変化させ、これによって、バランスの全長を調整することができるようになる。
【００３１】
図１０は、化粧カバー１０の変形例であり、その表面１０ａにフック１０ｅが形成されている。これによって、化粧カバー１０自体の意匠性が向上すると共に、図１１に示すようなスワッグ等の装飾材４０をフック１０ｅに引っ掛けるような利用が可能となり、さらにブラインド全体の意匠性を向上させることができるようになる。
【００３２】
以上の例において、化粧カバー１０は継目２０ａ、２０ｂだけでなく、継目以外のバランス２０の任意の位置に取り付けることも可能である。継目を覆い隠す化粧カバー１０と、継目を覆い隠さない化粧カバー１０の両方を適宜に配置することによって、よりブラインド全体の意匠性を向上させることも可能である。
【図面の簡単な説明】
【００３３】
【図１】本考案にかかる化粧カバーが取り付けられたブラインド用化粧材を用いたブラインド全体の斜視図である。
【図２】化粧カバーが取り付けられたブラインド用化粧材の斜視図である。
【図３】平面用の化粧カバーの斜視図と側面図である。
【図４】コーナー用の化粧カバーの斜視図である。
【図５】ブラインド用化粧材の構成部材を連結するときの状態を表す斜視図である。
【図６】（ａ）は連結される構成部材の色目が異なっている場合、（ｂ）は連結される構成部材の木目が非連続となっている場合、（ｃ）は化粧カバー１０を取り付けた状態をそれぞれ表す正面図である。
【図７】化粧カバーをブラインド用化粧材に取り付ける状態を表す側面図である。
【図８】（ａ）は継目に段差が形成された場合の化粧カバーを取り付ける前、（ｂ）は化粧カバーを取り付けた後の斜視図である。
【図９】（ａ）は継目に隙間が形成された場合の化粧カバーを取り付ける前、（ｂ）は化粧カバーを取り付けた後の斜視図である。
【図１０】変形例にかかる化粧カバーが取り付けられたブラインド用化粧材の斜視図である。
【図１１】図１０のブラインド用化粧材を用いたブラインドの全体斜視図である。
【符号の説明】
【００３４】
１０  化粧カバー
１０ｃ  上部係止部
１０ｄ  下部係止部
１０ｅ  フック
２０  バランス（ブラインド用化粧材）
２０ａ、２０ｂ  継目
２２  正面部材（構成部材）
２４  側面部材（構成部材）
２６  ピン（ジョイント部材）
３０  ブラインド
【図１】
0003117832.tif 000003
【図２】
0003117832.tif 000004
【図３】
0003117832.tif 000005
【図４】
0003117832.tif 000006
【図５】
0003117832.tif 000007
【図６】
0003117832.tif 000008
【図７】
0003117832.tif 000009
【図８】
0003117832.tif 000010
【図９】
0003117832.tif 000011
【図１０】
0003117832.tif 000012
【図１１】
0003117832.tif 000013